(57)【要約】【課題】棚に設けたＰＴＣヒータにより、商品をきめ細かく均一に加温することができるショーケースを提供する。【解決手段】ショーケースは、商品を陳列する棚に、ＰＴＣヒータ２１を設けた構成とされている。ＰＴＣヒータ２１は、ＰＴＣ素子２６と、このＰＴＣ素子２６に給電する第１の給電部２７、第２の給電部２８から成り、第１の給電部２７の櫛歯状電極３２Ａ、３２Ｂと、第２の給電部２８の櫛歯状電極３４Ａ、３４Ｂとの間のＰＴＣ素子２６の幅を、商品の幅寸法以下とした。【選択図】図５
2020092950.tif 000002
【特許請求の範囲】
【請求項１】
商品を陳列する棚に、ＰＴＣヒータを設けて成るショーケースにおいて、
前記ＰＴＣヒータは、ＰＴＣ素子と、該ＰＴＣ素子に給電する少なくとも一対の給電部から成り、
該給電部間の前記ＰＴＣ素子の幅を、前記商品の幅寸法以下としたことを特徴とするショーケース。
【請求項２】
前記給電部間の前記ＰＴＣ素子の幅を、５０ｍｍ以下としたことを特徴とする請求項１に記載のショーケース。
【請求項３】
前記給電部間の前記ＰＴＣ素子の幅を、前記商品の幅寸法の半分以下としたことを特徴とする請求項１又は請求項２に記載のショーケース。
【請求項４】
前記給電部間の前記ＰＴＣ素子の幅を、２５ｍｍ以下としたことを特徴とする請求項１乃至請求項３のうちの何れかに記載のショーケース。
【請求項５】
前記各給電部は、共通電極と、該共通電極から延在する複数の櫛歯状電極を有し、一方の前記給電部の櫛歯状電極が、他方の前記給電部の櫛歯状電極と互いに噛み合うように対向配置されていることを特徴とする請求項１乃至請求項４のうちの何れかに記載のショーケース。
【請求項６】
前面が開口する陳列室内に架設され、商品を陳列する棚と、該棚に設けられたＰＴＣヒータを備えて成るショーケースにおいて、
前記ＰＴＣヒータは、ＰＴＣ素子と、該ＰＴＣ素子に給電する少なくとも一対の給電部から成り、
各給電部は、少なくとも前後方向に配置された部分を有する共通電極と、該共通電極から左右方向に渡って延在する複数の櫛歯状電極を有し、一方の前記給電部の櫛歯状電極は、他方の前記給電部の櫛歯状電極と互いに噛み合うように対向配置されていることを特徴とするショーケース。
【請求項７】
前記一方の給電部の櫛歯状電極と前記他方の給電部の櫛歯状電極間の前記ＰＴＣ素子の幅を、前記商品の幅寸法以下、又は、５０ｍｍ以下としたことを特徴とする請求項６に記載のショーケース。
【請求項８】
前記棚は、左右両側のスライドレールにより引き出し自在に設けられていると共に、少なくとも一方の前記給電部の共通電極は、前記棚の側部に配置された部分を有することを特徴とする請求項６又は請求項７に記載のショーケース。
【請求項９】
前記棚の前部に配置した前記ＰＴＣ素子の発熱量は、後部に配置した前記ＰＴＣ素子の発熱量よりも大きいことを特徴とする請求項６乃至請求項８のうちの何れかに記載のショーケース。
【請求項１０】
前記棚の前隅部に配置した前記ＰＴＣ素子の発熱量は、他の領域に配置した前記ＰＴＣ素子の発熱量よりも大きいことを特徴とする請求項６乃至請求項９のうちの何れかに記載のショーケース。
【請求項１１】
抵抗の立ち上がり温度がより高い前記ＰＴＣ素子を使用すること、又は、前記櫛歯状電極間の前記ＰＴＣ素子の幅を狭めること、又は、前記ＰＴＣ素子への印加電圧を増加させること、若しくは、前記ＰＴＣ素子の厚さ寸法を拡大すること、のうちの少なくとも何れかにより、前記ＰＴＣ素子の発熱量が大きくされていることを特徴とする請求項９又は請求項１０に記載のショーケース。
【請求項１２】
発熱量が大きい前記ＰＴＣ素子に対応する前記櫛歯状電極の断面積は、他の部分よりも拡大されていることを特徴とする請求項９乃至請求項１１のうちの何れかに記載のショーケース。
【請求項１３】
前記棚の中央部には前記ＰＴＣ素子が配置されていない、若しくは、前記棚の中央部には発熱量が他の領域よりも小さい前記ＰＴＣ素子が配置されていることを特徴とする請求項６乃至請求項１２のうちの何れかに記載のショーケース。
【請求項１４】
前記給電部には、温度ヒューズが設けられていないことを特徴とする請求項１乃至請求項１３のうちの何れかに記載のショーケース。
【請求項１５】
前記ＰＴＣ素子の温度抵抗曲線の変曲点は、＋７０℃以上、＋１２０℃以下であることを特徴とする請求項１乃至請求項１４のうちの何れかに記載のショーケース。
【請求項１６】
前記ＰＴＣヒータは、スクリーン印刷により製造されたヒータシートにより構成されていることを特徴とする請求項１乃至請求項１５のうちの何れかに記載のショーケース。
【発明の詳細な説明】
【技術分野】
【０００１】
本発明は、棚上に缶飲料やペットボトル入り飲料等の商品を陳列し、これら商品を加温しながら陳列販売するショーケースに関するものである。
【背景技術】
【０００２】
従来よりスーパーマーケットやコンビニエンスストア等の店舗には、缶飲料やペットボトル入り飲料を電気ヒータにより加温しながら陳列販売するショーケースが設置されている。この場合、例えば前面が開口したオープンショーケースでは、側面が陳列室内外の空気の温度や熱放射の影響を受け難い棚中央部の領域の商品が最も加温され易くなり、左右の両側部及び後部の領域の商品は、一側面が陳列室内の空気に触れるために、中央部の領域の商品よりも加温され難くなる。
【０００３】
また、棚の最前列の商品は前面が陳列室外の空気に触れたり熱放射するため更に加温され難くなり、前面及び一側面が陳列室外の空気や陳列室内の空気に触れたり熱放射する棚の左右前隅部の商品が最も加温され難くなる。そのため、従来では棚の各部の温度を複数の電気ヒータと温度センサーにより別々に制御することで、商品の温度のバラツキを回避しなければならなかった（例えば、特許文献１参照）。
【０００４】
一方、正の温度−抵抗特性を有する材料（ＰＴＣ素子）で構成された面状ヒータ（以下「ＰＴＣヒータ」と称する）を用いたショーケースでは、ＰＴＣを利用した自己制御により、棚の冷えた部分は発熱量が高くなり、温まっている部分の発熱量は低くなるため、温度制御用のセンサー等を使用すること無く、比較的均一な商品の加温販売を実現することができる利点があった（例えば、特許文献２、特許文献３参照）。
【先行技術文献】
【特許文献】
【０００５】
【特許文献１】特開２００７−２７５４８９号公報
【特許文献２】特開平３−１５１６０１号公報
【特許文献３】特開２００５−２７８８１４号公報
【発明の概要】
【発明が解決しようとする課題】
【０００６】
ここで、この種ショーケースで加温販売する缶飲料やペットボトル入り飲料の寸法は、５０ｍｍ〜６５ｍｍの幅（直径）ものが殆どである。従来の如く棚に設けた電極間の広い領域にＰＴＣ素子を配置した場合、温度が低い商品を１本、補充すると、その部分のＰＴＣ素子の抵抗値はさがる。よって、その部分に電流は流れやすくなるが、同じ電流が流れる他の領域の抵抗値は変わらないため、商品を補充した箇所の電流はそれほど大きくならない。当然、発熱量もそれほど大きくならず、結果として、商品の昇温速度がさほど速くならないという問題があった。
【０００７】
また、局所的に温度が低い商品を補充した部分は、抵抗値が下がっているため、同じ電流が流れる他の領域の抵抗値は変わらなくても、電流は若干大きくなる（電極間の総抵抗値に合わせて電流が流れる）。そのため、かかる領域の発熱量が増加してしまい、無駄に温度が高くなる領域が発生して、消費電力が増大してしまう。
【０００８】
本発明は、係る従来の技術的課題を解決するために成されたものであり、棚に設けたＰＴＣヒータにより、商品をきめ細かく均一に加温することができるショーケースを提供することを目的とする。
【課題を解決するための手段】
【０００９】
請求項１の発明のショーケースは、商品を陳列する棚に、ＰＴＣヒータを設けて成るものであって、ＰＴＣヒータは、ＰＴＣ素子（抵抗体）と、このＰＴＣ素子に給電する少なくとも一対の給電部から成り、これら給電部間のＰＴＣ素子の幅を、商品の幅寸法以下としたことを特徴とする。
【００１０】
請求項２の発明のショーケースは、上記発明において給電部間のＰＴＣ素子の幅を、５０ｍｍ以下としたことを特徴とする。
【００１１】
請求項３の発明のショーケースは、上記各発明において給電部間のＰＴＣ素子の幅を、商品の幅寸法の半分以下としたことを特徴とする。
【００１２】
請求項４の発明のショーケースは、上記各発明において給電部間のＰＴＣ素子の幅を、２５ｍｍ以下としたことを特徴とする。
【００１３】
請求項５の発明のショーケースは、上記各発明において各給電部は、共通電極と、この共通電極から延在する複数の櫛歯状電極を有し、一方の給電部の櫛歯状電極が、他方の給電部の櫛歯状電極と互いに噛み合うように対向配置されていることを特徴とする。
【００１４】
請求項６の発明のショーケースは、前面が開口する陳列室内に架設され、商品を陳列する棚と、この棚に設けられたＰＴＣヒータを備えて成るものであって、ＰＴＣヒータは、ＰＴＣ素子と、このＰＴＣ素子に給電する少なくとも一対の給電部から成り、各給電部は、少なくとも前後方向に配置された部分を有する共通電極と、この共通電極から左右方向に渡って延在する複数の櫛歯状電極を有し、一方の給電部の櫛歯状電極は、他方の給電部の櫛歯状電極と互いに噛み合うように対向配置されていることを特徴とする。
【００１５】
請求項７の発明のショーケースは、上記発明において一方の給電部の櫛歯状電極と他方の給電部の櫛歯状電極間のＰＴＣ素子の幅を、商品の幅寸法以下、又は、５０ｍｍ以下としたことを特徴とする。
【００１６】
請求項８の発明のショーケースは、上記各発明において棚は、左右両側のスライドレールにより引き出し自在に設けられていると共に、少なくとも一方の給電部の共通電極は、棚の側部に配置された部分を有することを特徴とする。
【００１７】
請求項９の発明のショーケースは、請求項６乃至請求項８の発明において棚の前部に配置したＰＴＣ素子の発熱量は、後部に配置したＰＴＣ素子の発熱量よりも大きいことを特徴とする。
【００１８】
請求項１０の発明のショーケースは、請求項６乃至請求項９の発明において棚の前隅部に配置したＰＴＣ素子の発熱量は、他の領域に配置したＰＴＣ素子の発熱量よりも大きいことを特徴とする。
【００１９】
請求項１１の発明のショーケースは、請求項９又は請求項１０の発明において抵抗の立ち上がり温度がより高いＰＴＣ素子を使用すること、又は、櫛歯状電極間のＰＴＣ素子の幅を狭めること、又は、ＰＴＣ素子への印加電圧を増加させること、若しくは、ＰＴＣ素子の厚さ寸法を拡大すること、のうちの少なくとも何れかにより、ＰＴＣ素子の発熱量が大きくされていることを特徴とする。
【００２０】
請求項１２の発明のショーケースは、請求項９乃至請求項１１の発明において発熱量が大きいＰＴＣ素子に対応する櫛歯状電極の断面積は、他の部分よりも拡大されていることを特徴とする。
【００２１】
請求項１３の発明のショーケースは、請求項６乃至請求項１２の発明において棚の中央部にはＰＴＣ素子が配置されていない、若しくは、棚の中央部には発熱量が他の領域よりも小さいＰＴＣ素子が配置されていることを特徴とする。
【００２２】
請求項１４の発明のショーケースは、上記各発明において給電部には、温度ヒューズが設けられていないことを特徴とする。
【００２３】
請求項１５の発明のショーケースは、上記各発明においてＰＴＣ素子の温度抵抗曲線の変曲点は、＋７０℃以上、＋１２０℃以下であることを特徴とする。
【００２４】
請求項１６の発明のショーケースは、上記各発明においてＰＴＣヒータは、スクリーン印刷により製造されたヒータシートにより構成されていることを特徴とする。
【発明の効果】
【００２５】
請求項１の発明によれば、商品を陳列する棚に、ＰＴＣヒータを設けて成るショーケースにおいて、ＰＴＣヒータを、ＰＴＣ素子と、このＰＴＣ素子に給電する少なくとも一対の給電部から構成し、これら給電部間のＰＴＣ素子の幅を、商品の幅寸法以下としたので、給電部間のＰＴＣ素子の全域に商品が対応するかたちとなる。
【００２６】
従って、給電部間の商品の温度に応じた発熱量をＰＴＣ素子に発生させることが可能となり、例えば温度が低い商品を補充した場合にも、当該商品を高い出力で迅速に商品を加温することができるようになる。また、棚の各領域の商品を均一にきめ細かく加温することが可能となるので、無駄な消費電力の発生を回避し、省エネルギーにも寄与することができるようになる。これは、実際には請求項２の発明の如く給電部間のＰＴＣ素子の幅を、５０ｍｍ以下とすると好適である。
【００２７】
特に、請求項３の発明の如く給電部間のＰＴＣ素子の幅を、商品の幅寸法の半分以下とすれば、給電部間のＰＴＣ素子の一つは必ず一つの商品に対応するかたちとなるため、更にきめ細かく商品を加温することができるようになる。この場合も、実際には請求項４の発明の如く給電部間のＰＴＣ素子の幅を、２５ｍｍ以下とすると好適である。
【００２８】
また、請求項５の発明の如く各給電部を、共通電極と、この共通電極から延在する複数の櫛歯状電極を有する構造とし、一方の給電部の櫛歯状電極が、他方の給電部の櫛歯状電極と互いに噛み合うように対向配置することで、商品のきめ細かい加温を効果的に実現することができるようになる。
【００２９】
請求項６の発明によれば、前面が開口する陳列室内に架設され、商品を陳列する棚と、この棚に設けられたＰＴＣヒータを備えて成るショーケースにおいて、ＰＴＣヒータを、ＰＴＣ素子と、このＰＴＣ素子に給電する少なくとも一対の給電部から構成し、各給電部を、少なくとも前後方向に配置された部分を有する共通電極と、この共通電極から左右方向に渡って延在する複数の櫛歯状電極を有する構造とし、一方の給電部の櫛歯状電極が、他方の給電部の櫛歯状電極と互いに噛み合うように対向配置することで、商品が加温され難い棚前部に近接してＰＴＣ素子を配置し、効果的に加温することができるようになる。
【００３０】
また、一方の給電部の櫛歯状電極と、他方の給電部の櫛歯状電極間のＰＴＣ素子の幅を狭めてきめ細かく商品を加温することが可能となる。特に、請求項７の発明の如く一方の給電部の櫛歯状電極と他方の給電部の櫛歯状電極間のＰＴＣ素子の幅を、商品の幅寸法以下、又は、５０ｍｍ以下とすれば、櫛歯状電極間のＰＴＣ素子の全域に商品が対応するかたちとなる。
【００３１】
従って、櫛歯状電極間の商品の温度に応じた発熱量をＰＴＣ素子に発生させることが可能となり、前述同様に温度が低い商品を補充した場合にも、高い出力で迅速に商品を加温することができるようになる。また、棚の各領域の商品を均一にきめ細かく加温することが可能となるので、無駄な消費電力の発生を回避し、省エネルギーにも寄与することができるようになる。
【００３２】
また、請求項８の発明の如く棚が、左右両側のスライドレールにより引き出し自在に設けられているとき、少なくとも一方の給電部の共通電極を、棚の側部に配置された部分を有する構造とすることで、上方の棚のスライドレールが存在する関係で無効空間となる棚の側部を利用して共通電極を配置することができるようになる。
【００３３】
また、請求項９の発明の如く棚の前部に配置したＰＴＣ素子の発熱量を、後部に配置したＰＴＣ素子の発熱量よりも大きくすることで、加温され難い棚の前部の商品を効果的に加温することができるようになる。
【００３４】
特に、請求項１０の発明の如く棚の前隅部に配置したＰＴＣ素子の発熱量を、他の領域に配置したＰＴＣ素子の発熱量よりも大きくすることで、最も加温され難い棚の前隅部の商品も支障無く加温することができるようになる。
【００３５】
この場合、ＰＴＣ素子の発熱量は、請求項１１の発明の如く抵抗の立ち上がり温度がより高いＰＴＣ素子を使用すること、又は、櫛歯状電極間のＰＴＣ素子の幅を狭めること、又は、ＰＴＣ素子への印加電圧を増加させること、若しくは、ＰＴＣ素子の厚さ寸法を拡大することで大きくすることができる。
【００３６】
また、請求項１２の発明の如く発熱量が大きいＰＴＣ素子に対応する櫛歯状電極の断面積を、他の部分よりも拡大することで、発熱量を大きくするＰＴＣ素子に給電する櫛歯状電極における電圧降下を防止して、効果的にＰＴＣ素子の発熱量を大きくすることができるようになる。
【００３７】
更に、請求項１３の発明の如く棚の中央部にはＰＴＣ素子を配置しない、若しくは、棚の中央部には発熱量が他の領域よりも小さいＰＴＣ素子を配置するようにすることで、中央部の商品が温まりすぎる不都合を解消することができるようになる。
【００３８】
そして、上記各発明によれば請求項１４の発明の如く給電部に温度ヒューズを設ける必要がなくなり、生産コストを低減させることができるようになる。
【００３９】
また、請求項１５の発明によれば、上記各発明におけるＰＴＣ素子の温度抵抗曲線の変曲点を、＋７０℃以上、＋１２０℃以下としたことで、缶飲料やペットボトル入り飲料等の商品を好適に加温することができるようになる。
【００４０】
また、請求項１６の発明によれば、上記各発明におけるＰＴＣヒータを、スクリーン印刷により製造されたヒータシートにより構成したので、生産コストの削減と組立作業性の改善を図ることができるようになるものである。
【図面の簡単な説明】
【００４１】
【図１】本発明を適用した一実施例のショーケースの正面図である。
【図２】図１のショーケースの縦断側面図である。
【図３】図１のショーケースの棚の側部（向かって左側）の拡大概略正面図である。
【図４】図１のショーケースの棚の縦断正面図である。
【図５】図４の棚に設けられた一実施例のＰＴＣヒータの平面図である（実施例１）。
【図６】図５のＰＴＣヒータのＡ−Ａ線断面図である。
【図７】ＰＴＣ素子の温度抵抗曲線を示す図である。
【図８】図５のＰＴＣヒータの櫛歯状電極間のＰＴＣ素子の幅寸法と商品の幅寸法の関係を説明する図である。
【図９】図５のＰＴＣヒータの櫛歯状電極間のＰＴＣ素子の幅寸法と商品の幅寸法の関係を説明するもう一つの図である。
【図１０】図４の棚に設けられた他の実施例のＰＴＣヒータの平面図である（実施例２）。
【発明を実施するための形態】
【００４２】
以下、本発明の実施の形態について、図面に基づき詳細に説明する。
【実施例１】
【００４３】
図１〜図３において、実施例のショーケース１は、コンビニエンスストア等の店舗に設置されて商品を冷却又は加温しながら陳列する冷温切換タイプの縦型オープンショーケースである。ショーケース１の本体２は断面コ字状の断熱壁から構成されており、図１、図２では示さないが、実際にはこの本体２の両側に断熱壁から成る側板が取り付けられることになる。
【００４４】
ショーケース１の本体２の内側には、間隔を存して仕切板３が取り付けられており、この仕切板３と本体２の間がダクト４とされ、仕切板３の内側に前面が開口する陳列室６が構成されている。ダクト４の上部前端には、陳列室６の開口上縁に位置して吹出口７が形成され、ダクト４の下部前端には、陳列室６の開口下縁に位置して吸込口８が形成されているい。
【００４５】
また、ダクト４内には蒸発器９と送風機１１が配設されており、この送風機１１により、蒸発器９と熱交換した冷気がダクト４内を吹き上げられ、吹出口７から陳列室６の開口に吹き出される。吹出口７から吹き出された冷気は、陳列室６の開口に冷気エアーカーテンを形成すると共に、陳列室６内を循環して所定の温度（冷蔵又は冷凍温度）に冷却する。この冷気エアーカーテンを形成する冷気及び陳列室６内を循環した冷気は吸込口８からダクト４内に流入し、再び送風機１１に吸い込まれる循環を繰り返す。
【００４６】
そして、陳列室６内には商品陳列用の棚１２が複数段（実施例では上下に６段）設けられている。尚、棚１２は、棚板１３を後方に押し込んで陳列室６内に位置させた状態と、前方（手前）に引き出した状態とに切り換えられる引き出し自在の棚である。
【００４７】
即ち、実施例の上部５段の棚１２は、陳列室６内に取り付けられた左右一対のブラケット１４と、商品を載置して陳列するための前述した棚板１３と、この棚板１３を各ブラケット１４に引き出し自在に取り付けるために、図３の概略図で示すように棚板１３下側の棚１２の左右両側部に設けられた一対のスライドレール１６等から構成されている。そして、各ブラケット１４が陳列室６の背面の仕切板３の左右両側に設けられた上下方向の支柱１７にそれぞれ係脱自在に係合されることで、各棚１２は陳列室６内に架設されている。
【００４８】
次に、図４〜図９を参照しながら実施例の棚１２の棚板１３の詳細構造について説明する。図４において、実施例の棚板１３は左右に長い長方形状を呈しており、鋼板製の上板１８及び下板１９と、上板１８の下面に取り付けられたＰＴＣヒータ２１と、このＰＴＣヒータ２１と下板１９間に充填されたグラスウール等から成る断熱材２２から構成されている。
【００４９】
そして、棚板１３上で商品を加温しながら陳列販売する場合には、前述した蒸発器９と送風機１１による陳列室６内の冷却を停止させた状態で、ＰＴＣヒータ２１に通電し、発熱させる。これにより、棚板１３上に陳列された缶飲料やペットボトル入り飲料等の商品を加温することができるように構成されている。
【００５０】
次に図５〜図９を用いて、棚板１３に設けられたＰＴＣヒータ２１について詳細に説明する。この実施例のＰＴＣヒータ２１は、図６に示す如く棚板１３の上板１８下面の形状に沿った左右方向に長い長方形状を呈する上下のラミネートフィルム２３、２４間に、ＰＴＣ素子（正の温度−抵抗特性を有するインク状の材料）２６と、このＰＴＣ素子２６に給電するための銀（インク状）から成る一対の第１の給電部２７及び第２の給電部２８を配置した構成とされており（図５に示す）、これら給電部２７、２８が図示しない電源に接続されてＰＴＣ素子２６に通電し、発熱させるものである。
【００５１】
実施例のＰＴＣヒータ２１は、スクリーン印刷により製造されたヒータシートであり、その製造手順は、先ず、ラミネートフィルム２３上に各給電部２７、２８を図５に示すような所定のパターンで印刷する。次に、その上に図５中ハッチングで示すようなＰＴＣヒータ２１の中央部２１Ａを残した枠形状でＰＴＣ素子２６を印刷する。そして、最後にその上からラミネートフィルム２４を貼り付ける。尚、使用する際には、製造したヒータシートを上下逆転させて用いるものとする。
【００５２】
また、このようなＰＴＣ素子２６の形状により、実施例では棚板１３の中央部（ＰＴＣヒータ２１の中央部２１Ａに対応する部分）にはＰＴＣ素子２６が配置されないことになる。更に、実施例では図５に示すように棚板１３の後部より前部のＰＴＣ素子２６の領域を大きくしており、それにより、後部より前部のＰＴＣ素子２６の発熱量が大きくなるようにしている。
【００５３】
更にまた、缶飲料やペットボトル入り飲料等の商品を加温する最適なＰＴＣ素子２６として、温度抵抗曲線の変曲点が＋７０℃以上、＋１２０℃以下のものを使用する（図７）。このようなＰＴＣ素子２６を使用することで、ＰＴＣを利用した自己制御により、温度センサや温度ヒューズを使用すること無く、商品を適温に加温することができるようになる。尚、実施例では変曲点が＋７０℃のもの（図７にＰＴＣ１で示す）を採用している。
【００５４】
次に、各給電部２７、２８のパターンについて詳述する。第１の給電部２７は、ＰＴＣヒータ２１の周囲を囲繞する枠状の共通電極３１と、複数の櫛歯状電極３２Ａ、３２Ｂを有している。共通電極３１は向かって左側で前後方向に配置された左側部３１Ａと、向かって右側で前後方向に配置された右側部３１Ｂと、後端で左右に渡る後端部３１Ｃと、前端で左右に渡る前端部３１Ｄを有している。電源は図示しない後端部３１Ｃの中央部に接続されている。この場合、左側部３１Ａと右側部３１Ｂ、後端部３１Ｃは同じ幅とされている。前端部３１Ｄはそれらよりも狭幅とされ、その幅は後述する櫛歯状電極３２Ａ、３２Ｂの幅Ｗ３と同様とされている。
【００５５】
また、櫛歯状電極３２Ａは左側部３１Ａから向かって右方向に渡るかたちで延在し、櫛歯状電極３２Ｂは右側部３１Ｂから向かって左方向に渡るかたちで延在している。そして、共通電極３１の左側部３１Ａと右側部３１Ｂが棚板１３の左右側部にそれぞれ配置されることになる。
【００５６】
一方、第２の給電部２８は、ＰＴＣヒータ２１の中央部において前後方向に配置された共通電極３３と、複数の櫛歯状電極３４Ａ、３４Ｂを有している。この場合、共通電極３３は中央部で前後方向に配置された中央部３３Ａと、この中央部３３Ａの後部から左右方向に所定距離延在した後、前側に直角に屈曲して前方に所定距離延在する左枝部３３Ｂと右枝部３３Ｃを有しており、左枝部３３Ｂは第１の給電部２７の左側部３１Ａの右側に所定の間隔を存して対向し、この左枝部３３Ｂの前端は左側部３１Ａの前端よりも所定距離手前（前部のＰＴＣ素子２６の手前）で終了している。
【００５７】
共通電極３３の右枝部３３Ｃは第１の給電部２７の右側部３１Ｂの左側に所定の間隔を存して対向し、右枝部３３Ｃの前端は右側部３１Ｂの前端よりも所定距離手前（前部のＰＴＣ素子２６の手前）で終了している。また、櫛歯状電極３４Ａは共通電極３３の中央部３３Ａと左枝部３３Ｂから向かって左方向に渡るかたちで延在し、櫛歯状電極３４Ｂは中央部３３Ａと右枝部３３Ｃから向かって右方向に渡るかたちで延在している。
【００５８】
そして、第１の給電部２７の櫛歯状電極３２Ａ、３２Ｂと、第２の給電部２８の櫛歯状電極３４Ａ、３４Ｂは、間隔を存して互いに噛み合うように対向配置されている。この場合、第１の給電部２７の各櫛歯状電極３２Ａは、対向する第２の給電部２８の共通電極３３の中央部３３Ａや左枝部３３Ｂの手前で終了しており、第１の給電部２７の各櫛歯状電極３２Ｂは、対向する第２の給電部２８の共通電極３３の中央部３３Ａや右枝部３３Ｃの手前で終了している。
【００５９】
また、第２の給電部２８の各櫛歯状電極３４Ａは、対向する第１の給電部２７の共通電極３１の左側部３１Ａの手前で終了しており、第２の給電部２８の各櫛歯状電極３４Ｂは、対向する第１の給電部２７の共通電極３１の右側部３１Ｂの手前で終了している。これらにより、櫛歯状電極３２Ａと櫛歯状電極３４Ａ間、及び、櫛歯状電極３２Ｂと櫛歯状電極３４Ｂ間、後端部３１Ｃと櫛歯状電極３４Ａ、３４Ｂ間にＰＴＣ素子２６が配置され、その幅Ｗ１は実施例では２０ｍｍに設定されている（図６）。
【００６０】
特に、第２の給電部２８の共通電極３３の中央部３３Ａ前端の櫛歯状電極３４Ａ（図５に３４Ａ１で示す）の先端部は二つに分岐し、相互に所定間隔を存して左方向に渡る分岐部３４Ａ２、３４Ａ３とされており、第１の給電部２７の共通電極３１の左側部３１Ａ前端の櫛歯状電極３２Ａ（図５に３２Ａ１で示す）は、各分岐部３４Ａ２及び３４Ａ３間に進入している。
【００６１】
また、第２の給電部２８の共通電極３３の中央部３３Ａ前端の櫛歯状電極３４Ｂ（図５に３４Ｂ１で示す）の先端部も二つに分岐し、相互に所定間隔を存して右方向に渡る分岐部３４Ｂ２、３４Ｂ３とされており、第１の給電部２７の共通電極３１の右側部３１Ｂ前端の櫛歯状電極３２Ｂ（図５に３２Ｂ１で示す）は、各分岐部３４Ｂ２及び３４Ｂ３間に進入している。
【００６２】
前端部３１Ｄと櫛歯状電極３４Ａ１、３４Ｂ１間のＰＴＣ素子２６の幅も前述同様の２０ｍｍとされているが、上述の如き分岐部３４Ａ２、３４Ａ３、３４Ｂ２、３４Ｂ３の構成により、図６に示す如く前端部３１Ｄと分岐部３４Ａ２、３４Ｂ３間、分岐部３４Ａ２と櫛歯状電極３２Ａ１間、櫛歯状電極３２Ａ１と分岐部３４Ａ３間、分岐部３４Ａ３とその奥側の櫛歯状電極３２Ａ間、分岐部３４Ｂ３と櫛歯状電極３２Ｂ１間、櫛歯状電極３２Ｂ１と分岐部３４Ｂ２間、分岐部３４Ｂ２とその奥側の櫛歯状電極３２Ｂ間に配置されたＰＴＣ素子２６の幅Ｗ２は、その他の箇所の幅Ｗ１の約半分となり、実施例では１０ｍｍ程に設定している（図６）。
【００６３】
これにより、前述した如く商品が最も加温され難くなる棚板１３の左右前隅部における電極間のＰＴＣ素子２６の幅Ｗ２は、その他の箇所の幅Ｗ１の約半分となり、電流が多く流れるようになって、他の領域よりも発熱量が大きくなり、前隅部の商品を効果的に加温することができるようになる。
【００６４】
更に、各櫛歯状電極３２Ａ、３２Ｂ、３４Ａ、３４Ｂの幅Ｗ３（図６）は実施例では１．５ｍｍに設定しているが、分岐部３４Ａ２、３４Ａ３に向かう櫛歯状電極３４Ａ１の幅と、分岐部３４Ｂ２、３４Ｂ３に向かう櫛歯状電極３４Ｂ１の幅Ｗ４は、実施例ではその二倍の３ｍｍに設定している。これにより、櫛歯状電極３４Ａ１、３４Ｂ１の断面積は、実施例では他の部分の二倍となり、櫛歯状電極３４Ａ１、３４Ｂ１における電圧降下が防止され、分岐部３４Ａ２、３４Ａ３、３４Ｂ２、３４Ｂ３に支障無く大きな電流を流すことができるようになる。
【００６５】
ここで、棚１２の棚板１３上に陳列される缶飲料やペットボトル飲料等の商品の幅（直径）寸法は、５０ｍｍ〜６５ｍｍのものが殆どである。そこで、図８に示す如く電極（図８では代表してＥで示す）間のＰＴＣ素子２６の幅Ｗ１を、商品（図８ではＧで示す）の幅寸法以下、例えば確実に幅寸法以下となる５０ｍｍとすれば、電極間のＰＴＣ素子２６の幅方向における全領域において商品Ｇが対応する可能性が高くなり、前述した如く商品が存在しない箇所の温度の影響で、ＰＴＣ素子２６の発熱量が低下してしまうことになる可能性が低くなる。
【００６６】
但し、幅Ｗ１を５０ｍｍとしても、図８中の左上に例示するように商品Ｇが二つのＰＴＣ素子２６に跨がって配置される可能性がある。そこで、例えば、図９に示す如く電極間のＰＴＣ素子２６の幅Ｗ１を商品Ｇの幅寸法の半分以下、例えば図８の半分の２５ｍｍとすれば、電極間のＰＴＣ素子２６の少なくとも一つの全域が、一つの商品Ｇに対応することになるため、上記のような問題は生じず、きめ細かく商品Ｇを加温することができるようになる。
【００６７】
上記の理由から実施例の電極間の幅Ｗ１は２０ｍｍに設定しているが、商品の幅寸法以下とする意味では、５０ｍｍ以下であれば効果がある。そして、望ましくは商品の幅寸法の半分以下、更に好ましくは２５ｍｍ以下とすることで、きめ細かい加温が可能となる。尚、幅Ｗ１の最小値は製造上の限界で決定すればよい。
【００６８】
以上の如く棚１２の棚板１３に設けるＰＴＣヒータ２１を、ＰＴＣ素子２６と、このＰＴＣ素子２６に給電する一対の第１の給電部２７、第２の給電部２８から構成し、これら給電部２７、２８に形成された櫛歯状電極３２Ａ及び３２Ｂと、櫛歯状電極３４Ａ及び３４Ｂ間のＰＴＣ素子２６の幅を、商品の幅寸法以下（５０ｍｍ以下）とするようにしたので、電極間のＰＴＣ素子２６の全域に商品を対応させることが可能となる。
【００６９】
これにより、電極間の商品の温度に応じた発熱量をＰＴＣ素子２６に発生させることが可能となり、例えば温度が低い商品を補充した場合にも、高い出力で迅速に商品を加温することができるようになる。また、棚板１３の各領域の商品を均一にきめ細かく加温することが可能となるので、無駄な消費電力の発生を回避し、省エネルギーにも寄与することができるようになる。
【００７０】
特に、実施例の如く各電極間のＰＴＣ素子２６の幅を、商品の幅寸法の半分以下（２５ｍｍ以下）とすれば、電極間のＰＴＣ素子２６の一つは必ず一つの商品に対応することになるため、更にきめ細かく商品を加温することができるようになる。
【００７１】
また、実施例では各給電部２７、２８を、少なくとも前後方向に配置された左側部３１Ａ、右側部３１Ｂを有する共通電極３１と、中央部３３Ａ、左枝部３３Ｂ、右枝部３３Ｃを有する共通電極３３と、それらから左右方向に渡って延在する櫛歯状電極３２Ａ、３２Ｂ、３４Ａ、３４Ｂを有する構造とし、一方の給電部２７の櫛歯状電極３２Ａ、３２Ｂが、他方の給電部２８の櫛歯状電極３４Ａ、３４Ｂと互いに噛み合うように対向配置している。そして、実施例では前端部３１Ｄを櫛歯状電極３２Ａ、３２Ｂと同様に狭幅なものとしているので、商品が加温され難い棚板１３の前部に近接してＰＴＣ素子２６を配置し、効果的に加温することができるようになる。
【００７２】
また、第１の給電部２７の櫛歯状電極３２Ａ、３２Ｂと、第２の給電部２８の櫛歯状電極３４Ａ、３４Ｂ間のＰＴＣ素子２６の幅を狭めてきめ細かく商品を加温することが可能となる。従って、櫛歯状電極３２Ａ、３４Ａ間、３２Ｂ、３４Ｂ間の商品の温度に応じた発熱量をＰＴＣ素子２６に発生させることが可能となる。
【００７３】
また、実施例では棚１２が、左右両側のスライドレール１６により引き出し自在に設けられているが、この実施例の如く第１の給電部２７の共通電極３１が左側部３１Ａ、右側部３１Ｂを有する構造とすることで、上側の棚１２のスライドレール１６が存在する関係で無効空間となる下側の棚１２の棚板１３の側部を利用して共通電極３１の左側部３１Ａ、右側部３１Ｂを配置することができるようになる。
【００７４】
また、実施例では棚板１３の前部に配置したＰＴＣ素子２６の発熱量を、後部に配置したＰＴＣ素子２６の発熱量よりも大きくしているので、加温され難い棚板１３の前部の商品を効果的に加温することができるようになる。
【００７５】
特に、実施例では棚板１３の左右前隅部に配置したＰＴＣ素子２６の発熱量を、他の領域に配置したＰＴＣ素子２６の発熱量よりも大きくしているので、最も加温され難い棚板１３の左右前隅部の商品も支障無く加温することができるようになる。
【００７６】
また、実施例では発熱量が大きい棚板１３の左右前隅部のＰＴＣ素子２６に対応する櫛歯状電極３４Ａ１、３４Ｂ１の断面積を、他の部分よりも拡大しているので、発熱量を大きくしたいＰＴＣ素子２６に給電する櫛歯状電極３４Ａ１、３４Ｂ１における電圧降下を防止して、効果的にＰＴＣ素子２６の発熱量を大きくすることができるようになる。
【００７７】
また、実施例では棚板１３の中央部にはＰＴＣ素子２６を配置していないので、中央部の商品が温まりすぎる不都合を解消することができるようになる。そして、上述した構成によれば、給電部２７、２８に温度ヒューズを接続する必要がなくなるので、生産コストを低減させることができるようになる。
【００７８】
また、実施例ではＰＴＣ素子２６の温度抵抗曲線の変曲点を、＋７０℃以上、＋１２０℃以下としているので、缶飲料やペットボトル入り飲料等の商品を好適に加温することができるようになる。更にまた、実施例ではＰＴＣヒータ２１を、スクリーン印刷により製造されたヒータシートにより構成しているので、生産コストの削減と組立作業性の改善を図ることができるようになる。
【００７９】
尚、この実施例では電極間のＰＴＣ素子２６の幅を他の領域より狭くすることで、棚板１３の左右前隅部のＰＴＣ素子２６の発熱量を大きくしたが、それに限らず、例えば、抵抗の立ち上がり温度がより高いＰＴＣ素子、例えば、図７にＰＴＣ２で示した抵抗の立ち上がり温度がＰＴＣ１よりも高い（例えば、変曲点が＋１２０℃）ＰＴＣ素子を使用することで、前隅部における発熱量を大きくしてもよく、或いは、ＰＴＣ素子２６の厚さ寸法を拡大して、発熱量を大きくしてもよい。なお、厚さ寸法を大きくすることに代えて、ＰＴＣヒータを二重に配置することでも良い。
【００８０】
これは棚板１３の後部よりも前部のＰＴＣ素子２６の発熱量を大きくする場合も同様であり、実施例の如く領域を拡大することに限らず、電極間のＰＴＣ素子の幅を狭め、或いは、抵抗の立ち上がり温度がより高いＰＴＣ素子を用い、若しくは、ＰＴＣ素子の厚さ寸法を拡大して、後部よりも前部の発熱量を多くしてもよい。なお、厚さ寸法を大きくすることに代えて、ＰＴＣヒータを二重に配置することでも良い。
【００８１】
更に、実施例では棚板１３の中央部にＰＴＣ素子を配置しない構造としたが、それに限らず、棚板１３の中央部には発熱量が他の領域よりも小さいＰＴＣ素子を配置するようにしてもよい。その場合は、例えば厚さ寸法の小さいＰＴＣ素子を棚板１３の中央部に配置する、或いは、抵抗の立ち上がり温度がより低いＰＴＣ素子を使用することになる。または、間隔をあけてＰＴＣ素子をまばらに配置するようにしても良い。
【実施例２】
【００８２】
次に、図１０はＰＴＣヒータ２１の他の実施例を示している。この実施例のＰＴＣヒータ２１も基本的な構造と素材、製造手順は図５の場合（実施例１）と同様であるが、ＰＴＣ素子２６の形状と各給電部２７、２８のパターンが異なる。この実施例の場合、ＰＴＣ素子２６は棚板１３の略全面に配置されるように左右方向に長い長方形状で印刷されている。
【００８３】
また、第１の給電部２７の共通電極３１はＰＴＣヒータ２１の左側部で前後方向に配置され、棚板１３の左側部に位置し、この共通電極３１から複数の櫛歯状電極３２が、向かって右方向に渡るかたちで延在している。他方、第２の給電部２８の共通電極３３はＰＴＣヒータ２１の右側部で前後方向に配置され、棚板１３の右側部に位置し、この共通電極３３から複数の櫛歯状電極３４が、向かって左方向に渡るかたちで延在している。
【００８４】
そして、第１の給電部２７の櫛歯状電極３２と、第２の給電部２８の櫛歯状電極３４は、間隔を存して互いに噛み合うように対向配置されている。この場合も、第１の給電部２７の各櫛歯状電極３２は、対向する第２の給電部２８の共通電極３３の手前で終了しており、第２の給電部２８の各櫛歯状電極３４は、対向する第１の給電部２７の共通電極３１の手前で終了している。
【００８５】
これらにより、櫛歯状電極３２と櫛歯状電極３４間にＰＴＣ素子２６が配置され、その幅（Ｗ１）は前述した実施例と同様に商品の幅寸法以下の２０ｍｍに設定されている。尚、この実施例の場合も櫛歯状電極３２、３４間のＰＴＣ素子２６の幅は、５０ｍｍ以下、好ましくは商品の幅寸法の半分以下の２５ｍｍ以下に設定されるものとする。
【００８６】
このようなＰＴＣヒータ２１によっても、電極間の商品の温度に応じた発熱量をＰＴＣ素子２６に発生させることが可能となる。また、棚板１３の各領域の商品を均一にきめ細かく加温することが可能となるので、無駄な消費電力の発生を回避し、省エネルギーにも寄与することができるようになる。特に、この実施例によれば、各給電部２７、２８の共通電極３１、３３をＰＴＣヒータ２１の前部と後部に配置した場合に比して、商品が加温され難い棚板１３の前部にＰＴＣ素子２６を配置することができるので、棚板１３の前部の商品を効果的に加温することができるようになる。
【００８７】
尚、上記各実施例では第１の給電部２７と第２の給電部２８を有するＰＴＣヒータ２１で説明したが、更に多くの対の給電部を配置して、よりきめ細かく商品を加温するようにしてもよい。
【００８８】
また、各実施例では前面が開口するオープンショーケースで本発明を説明したが、請求項１乃至請求項５の発明はそれに限らず、例えば、透明壁で囲繞されたクローズドタイプの温蔵ショーケース等にも有効である。
【符号の説明】
【００８９】
１  ショーケース
６  陳列室
１２  棚
１３  棚板
１６  スライドレール
２１  ＰＴＣヒータ
２３、２４  ラミネートフィルム
２６  ＰＴＣ素子
２７  第１の給電部
２８  第２の給電部
３１、３３  共通電極
３１Ａ  左側部
３１Ｂ  右側部
３２、３２Ａ、３２Ａ１、３２Ｂ、３２Ｂ１、３４、３４Ａ、３４Ａ１、３４Ｂ、３４Ｂ１  櫛歯状電極
３４Ａ２、３４Ａ３、３４Ｂ２、３４Ｂ３  分岐部
【図１】
2020092950.tif 000003
【図２】
2020092950.tif 000004
【図３】
2020092950.tif 000005
【図４】
2020092950.tif 000006
【図５】
2020092950.tif 000007
【図６】
2020092950.tif 000008
【図７】
2020092950.tif 000009
【図８】
2020092950.tif 000010
【図９】
2020092950.tif 000011
【図１０】
2020092950.tif 000012